(57)【要約】【課題】表示パネル１の外形を大きくすることなく、従来よりも焼きつきを低減可能な表示装置を実現する。【解決手段】自発光素子を有してなる複数の画素により各種の映像を表示する映像表示部が、映像を表示する面のなす平面上において回転可能な構成とされた表示パネル１を有する表示装置において、画素の推定劣化量が所定の条件を満たした場合に、表示パネル１を回転駆動部３により所定の角度で回転させると共に、表示される映像も映像回転部２３により表示パネル１の回転方向とは逆方向に回転させる。これにより、劣化が所定条件まで進行した場合に、表示パネル１と映像全体とを相対的に回転させることで、画素を増やすことなく、映像表示に使用する画素群を変更でき、累積駆動時間のバラツキを抑制し、焼きつきを低減できる。【選択図】図１
2020154169.tif 000002
【特許請求の範囲】
【請求項１】
自発光素子を有してなる複数の画素を備え、前記複数の画素により各種の映像を表示する部分を映像表示部とし、映像を表示する面を映像表示面として、前記映像表示部が前記映像表示面のなす平面上において回転可能な構成とされた表示パネル（１）と、
所定の回転開始条件を満たす場合に、前記表示パネルを所定の角度だけ回転させる制御を行う回転制御部（２）と、
前記回転制御部から所定の信号が出力された場合に、前記表示パネルを所定の角度だけ回転させる回転駆動部（３）とを備え、
前記回転制御部は、前記表示パネルを回転させる場合に、前記表示パネルに表示される映像を前記表示パネルの回転方向とは逆の方向に前記所定の角度だけ回転させる処理を行う映像回転部（２３）を有してなり、
前記映像表示部は、前記映像表示面に対する法線方向から見て、点対称な形状とされている、表示装置。
【請求項２】
前記回転開始条件を満たす場合に、前記回転駆動部に所定の回転信号を出力する回転指示部（２２）をさらに備え、
前記映像回転部は、前記回転駆動部による前記表示パネルの回転に合わせて、前記映像を回転させる処理を行う、請求項１に記載の表示装置。
【請求項３】
前記映像の回転を検出する映像回転検出部（２６）をさらに備え、
前記映像回転部は、前記回転開始条件を満たす場合に、前記所定の角度だけ前記映像を回転させる処理を行い、
前記回転駆動部は、前記映像回転検出部が前記映像の回転を検出した場合に作動する構成とされている、請求項１に記載の表示装置。
【請求項４】
前記表示パネルが回転した場合に、前記表示パネルの回転を検出するパネル回転検出部（２７）をさらに備え、
前記映像回転部は、前記パネル回転検出部が前記表示パネルの回転を検出した場合に、前記所定の角度だけ映像を回転させる処理を行う、請求項１に記載の表示装置。
【請求項５】
前記回転制御部は、前記複数の画素の劣化量を推定する劣化推定部（２１）を有してなり、前記劣化推定部が推定した前記劣化量が所定の閾値以上である場合に、前記表示パネルを回転させる制御を行う、請求項１ないし４のいずれか１つに記載の表示装置。
【請求項６】
前記回転開始条件は、前記画素の累積駆動時間が閾値以上である、所定の時間が経過した、または外部機器から所定の信号が入力された、のいずれか１つであり、
前記回転制御部は、前記回転開始条件を満たす際に、前記表示パネルを回転させるための信号を出力する回転決定部（２８）を有してなる、請求項１ないし４のいずれか１つに記載の表示装置。
【請求項７】
前記表示パネルの回転中心は、前記映像表示部の対称中心と一致している、請求項１ないし６のいずれか１つに記載の表示装置。
【発明の詳細な説明】
【技術分野】
【０００１】
本発明は、有機発光ダイオード（ＯＬＥＤ）を有してなる表示装置に関する。
【背景技術】
【０００２】
近年、ディスプレイ分野においては様々な表示装置の開発が進んでおり、自発光素子であるＯＬＥＤを用いた表示装置は、表示品位を高くできるため、特に精緻なグラフィック表示を行う用途では有望視されている。このＯＬＥＤは、連続して発光させると、その発光時間に応じて発光効率が低下し、同一駆動条件であっても発光輝度が低下する特性があり、発光輝度が大きいほど、すなわち駆動電流値が大きいほど、その特性低下の度合いが大きくなる。
【０００３】
ここで、表示装置では、表示部に様々な映像などが表示され、表示部を構成する画素ごとに駆動履歴が異なるのが通常である。そのため、自発光素子により構成された画素ごとに発光特性の低下度合いがばらつき、使用頻度の高い画素が、使用頻度の低い画素よりも劣化が進行して同一の駆動条件であっても輝度差が生じることで焼きついて見える、いわゆる焼きつきが生じてしまう。
【０００４】
このＯＬＥＤの焼きつきを抑制する構成とされた表示装置としては、例えば特許文献１に記載のものが挙げられる。この表示装置は、ＯＬＥＤからなる複数の画素が二次元状に配列され、各種映像を表示する表示パネルと、複数の画素のうち所定のものを選択して駆動する駆動部と、映像の表示位置を制御する制御部とを有してなる。この表示装置は、制御部が、表示パネルにおける映像全体の表示位置を所定の時間間隔で所定の距離だけ移動させる制御、すなわちウォブリングを行う。これにより、各画素間の累積駆動時間のバラツキを低減させることができ、焼きつきを抑制する。
【先行技術文献】
【特許文献】
【０００５】
【特許文献１】特開２００７−３０４３１８号公報
【発明の概要】
【発明が解決しようとする課題】
【０００６】
しかしながら、ウォブリングを行う表示装置は、映像全体の表示位置を移動させることから、映像に欠けを生じさせないためには、表示パネルに通常の表示領域を構成する画素に加えて、その外側にウォブリング用の画素が必要となり、外形が大きくなってしまう。
【０００７】
また、ウォブリングによる映像の移動距離は、ユーザが違和感を覚えることを防ぐため、所定の範囲内に限定されてしまう。そのため、従来のウォブリングを行う表示装置では、焼きつきの低減が不十分となるおそれがある。
【０００８】
本発明は、上記の点に鑑み、ＯＬＥＤを有してなる表示パネルの外形を大きくすることなく、従来よりも焼きつきを低減できる表示装置を提供することを目的とする。
【課題を解決するための手段】
【０００９】
上記目的を達成するため、請求項１に記載の表示装置は、自発光素子を有してなる複数の画素を備え、複数の画素により各種の映像を表示する部分を映像表示部とし、映像を表示する面を映像表示面として、映像表示部が映像表示面のなす平面上において回転可能な構成とされた表示パネル（１）と、所定の回転開始条件を満たす場合に、表示パネルを所定の角度だけ回転させる制御を行う回転制御部（２）と、回転制御部から所定の信号が出力された場合に、表示パネルを所定の角度だけ回転させる回転駆動部（３）とを備え、回転制御部は、表示パネルを回転させる場合に、表示パネルに表示される映像を表示パネルの回転方向とは逆の方向に所定の角度だけ回転させる処理を行う映像回転部（２３）を有してなり、映像表示部は、映像表示面に対する法線方向から見て、点対称な形状とされている。
【００１０】
これにより、自発光素子を有してなる複数の画素により構成された映像表示部が、その映像表示面のなす平面上にて回転可能な表示パネルが、所定の回転開始条件を満たす場合に回転し、当該回転に合わせて表示される映像も回転する構成の表示装置となる。この表示装置は、表示パネルが所定の角度で回転する場合に、映像もこれに合わせて回転する処理が行われるため、回転前後を通じて映像表示部において映像の表示に使用される画素群が従来のウォブリング制御よりも大きく変わる。そのため、この表示装置は、複数の画素間の累積駆動時間のバラツキが抑制され、従来よりも焼きつきが低減する。また、表示パネルが映像表示面に対する法線方向から見て、点対称な形状とされているため、映像全体を回転させたとしても映像の欠けが生じず、映像を表示する画素を別途増やす必要がなく、外形が大きくなることが抑制される。したがって、自発光素子を有してなる表示パネルの外形を大きくすることなく、従来よりも焼きつきを低減できる表示装置となる。
【００１１】
なお、各構成要素等に付された括弧付きの参照符号は、その構成要素等と後述する実施形態に記載の具体的な構成要素等との対応関係の一例を示すものである。
【図面の簡単な説明】
【００１２】
【図１】第１実施形態の表示装置の構成を示すブロック図である。
【図２】ＯＬＥＤにおける経過時間と相対輝度との関係を示すグラフである。
【図３】表示パネルの回転について示す平面図である。
【図４】図１の表示装置で実行される処理動作の一例を示すフローチャートである。
【図５Ａ】従来の表示装置におけるウォブリングについて示す平面図である。
【図５Ｂ】図５Ａのウォブリング有無による焼きつきの変化について示す平面図である。
【図６Ａ】図１の表示装置において、映像を表示する回転後の表示パネルと、当該回転前にて映像表示に用いられていた画素群を示す平面図である。
【図６Ｂ】表示パネルの回転の有無による焼きつきの変化について示す平面図である。
【図７】第２実施形態の表示装置の構成を示すブロック図である。
【図８】図７の表示装置で実行される処理動作の一例を示すフローチャートである。
【図９】第３実施形態の表示装置の構成を示すブロック図である。
【図１０】図９のパネル回転検出部の一例を示す平面図である。
【図１１】図９の表示装置で実行される処理動作の一例を示すフローチャートである。
【図１２】第４実施形態の表示装置の構成を示すブロック図である。
【図１３】第５実施形態の表示装置の構成を示すブロック図である。
【図１４】第６実施形態の表示装置の構成を示すブロック図である。
【発明を実施するための形態】
【００１３】
以下、本発明の実施形態について図に基づいて説明する。なお、以下の各実施形態相互において、互いに同一もしくは均等である部分には、同一符号を付して説明を行う。
【００１４】
（第１実施形態）
第１実施形態の表示装置Ｓ１について、図１〜図３を参照して説明する。図３では、後述する表示パネル１の初期位置および傾斜角度の上限位置を実線で示し、所定の回転角度θごとに回転させた場合の位置を破線で示し、表示パネル１の回転中心を黒点で示している。
【００１５】
本実施形態の表示装置Ｓ１は、例えば、自動車等の車両に搭載され、スピードメータ等の各種メータを表示するメータ表示装置に適用されると好適であるが、勿論、メータ表示装置や車載用途に限られず、他の表示装置としても採用され得る。
【００１６】
表示装置Ｓ１は、図１に示すように、表示パネル１と、回転制御部２と、回転駆動部３とを備え、必要に応じて、回転駆動部３により表示パネル１が回転可能な構成とされている。表示装置Ｓ１は、回転制御部２により、表示パネル１が回転すると同時に、映像も当該回転とは逆方向に表示パネル１の回転分だけ回転する制御がなされ、ユーザ視点で回転前後において映像の角度が変化しない構成とされている。
【００１７】
表示パネル１は、例えば、自発光素子としてＯＬＥＤとその駆動用の薄膜トランジスタ（ＴＦＴ）とにより構成された、不図示の複数の画素を有してなるＯＬＥＤパネルとされる。表示パネル１は、映像が表示される部分を映像表示部とし、映像表示部の映像が表示される映像表示面に対する法線方向から見て（以下、この視点を単に「正面視」という）、例えば円形、正多角形等の点対称な形状とされることが好ましい。これは、映像表示部の外郭が回転前後において完全に重なる状態とし、表示パネル１を正面視しているユーザが違和感を覚えないようにするためである。本実施形態では、表示パネル１は、例えば図１に示すように、正面視にて円形状とされている。
【００１８】
表示パネル１は、不図示の他の電子装置等からの映像信号を受信した映像出力部２５から出力された出力信号に基づいて、各種の映像を表示すると共に、必要に応じて、後述する回転駆動部３により回転する。表示パネル１は、映像表示部が映像表示面のなす平面上において回転可能な構成とされると共に、回転駆動部３により回転する場合には、後述する映像回転部２３が作動し、表示される映像の角度が当該回転前後においてユーザ視点で変化しない構成とされている。
【００１９】
以下、説明の便宜上、初期段階における表示パネル１の位置を「初期位置」と称し、初期位置に対して現状の表示パネル１が回転により傾いた角度を「傾斜角度」と称する。ここでいう「初期段階」とは、例えば、表示パネル１が一度も回転していない段階をいう。また、図３に示すように、回転駆動部３の一度の作動により表示パネル１が回転する角度θを「回転角度θ」と称する。さらに、表示パネル１が初期位置にある場合の傾斜角度を「０度」とし、図３の紙面左右方向における左方向にＸ度（０＜Ｘ≦１８０）傾いた状態の傾斜角度を「左Ｘ度」と称し、同右方向にＸ度傾いた状態の傾斜角度を「右Ｘ度」と称する。加えて、傾斜角度が０度の状態の表示パネル１に表示される映像の角度を「０度」とし、表示パネル１の傾斜角度が０度でない場合において、後述する映像回転部２３により映像の角度を０度に補正するために必要な映像の回転の角度を「補正角度」と称する。
【００２０】
表示パネル１は、不図示の配線により回転制御部２に接続されており、当該配線が表示パネル１の回転により破損することを防ぐため、初期位置に対して左右それぞれの方向における傾斜角度の上限が１８０度とされることが好ましい。この場合、表示パネル１は、例えば、初期位置に対して右回りに回転し、右方向での傾斜角度が上限に達したときには、その後左回りに回転する、といった回転制御がなされる。表示パネル１は、本実施形態では、図３に示すように、正面視における対称中心が回転中心とされている。
【００２１】
また、ＯＬＥＤパネルとされた表示パネル１は、「有機ＥＬディスプレイ」と称され得る。ＯＬＥＤは、例えば、一対の電極間に、正孔注入層、正孔輸送層、発光層、電子輸送層、電子注入層などが順次積層されてなり、電圧を印加することで発光する構成とされる。ＴＦＴは、ゲート電極、ゲート絶縁層、半導体層、ソース電極およびドレイン電極を備え、ゲート電極の電圧調整により電流のオンオフを制御可能な素子であり、ＯＬＥＤの駆動制御などに用いられる。ＯＬＥＤやＴＦＴ並びにＯＬＥＤパネルの構成やこれらの材料などについては、公知であるため、本明細書ではそれらの詳細の説明を省略する。また、ＯＬＥＤの構成については上記した例に限られず、任意の構成が採用され得る。
【００２２】
回転制御部２は、例えば、表示パネル１を駆動するための駆動回路を備える不図示の基板上に、不図示の、ＲＯＭやＲＡＭ等の記憶媒体、およびＣＰＵ等が搭載されてなる電子制御ユニットとされる。回転制御部２は、例えば、図１に示すように、劣化推定部２１と、回転指示部２２と、映像回転部２３と、記憶部２４と、映像出力部２５とを有してなり、不図示のＣＰＵが記憶部２４に予め格納された各種プログラムを読み込んで実行する構成とされる。回転制御部２は、本実施形態では、表示パネル１を構成する各画素の劣化状況に応じ、回転指示部２２により表示パネル１を回転させる指示を行うと共に、当該回転後の映像の角度を回転前の状態に維持するため、映像回転部２３により補正を行う構成とされる。
【００２３】
劣化推定部２１は、映像信号に基づく各画素の駆動履歴、すなわち通電履歴に基づき、表示パネル１を構成する各画素（ＯＬＥＤ）の劣化度合いを推定する。言い換えると、劣化推定部２１は、電流量や通電した累積時間といった通電の影響による各画素のストレス量を推定する。劣化推定部２１が算出した各画素のストレス量、すなわち劣化量のデータは、例えば、記憶部２４に記憶されると共に、回転指示部２２に出力される。なお、劣化推定部２１が算出した劣化量のデータは、直接、回転指示部２２に出力されて用いられてもよいし、記憶部２４にのみ出力され、必要に応じて回転指示部２２がこれを読み込んで用いられてもよい。
【００２４】
劣化推定部２１は、例えば、公知のＯＬＥＤの推定寿命方法で用いられる下記の（１）式を推定寿命カーブとして用いて、各画素の劣化度合い、すなわち劣化量を推定する。
【００２５】
Ｌ＝α０×ｅｘｐ（−ｔ×β０）＋α１×ｅｘｐ（−ｔ×β１）・・・（１）
なお、（１）式は、ＯＬＥＤの劣化を劣化量の大きい初期劣化とその後の劣化量の小さい通常劣化との２つの成分に分けて得られる公知の理論式である。また、（１）式では、Ｌは輝度、α０、β０は初期劣化における係数、α１、β１は初期劣化後の通常劣化における係数、ｔは経過時間である。
【００２６】
画素を構成するＯＬＥＤ素子を所定の定電流で駆動した際における、当該ＯＬＥＤ素子の輝度の経時変化の実測値を上記の（１）式に適用して各種係数を算出し、例えば図２に示すように、経過時間と画素の相対輝度との関係を示す推定寿命カーブを予め作成する。また、ＯＬＥＤ素子について、初期輝度に対応する加速係数を算出し、電流量に対応する各種の推定寿命カーブ、すなわち基準カーブを作成する。劣化推定部２１は、得られた上記の基準カーブのデータに各画素の経過時間を適用することで輝度を算出する。これにより、基準カーブを用いて、相対輝度、すなわち初期輝度（例えば製品出荷時）に対する現状の輝度を算出でき、電流量や通電の累積時間等の通電影響による各画素の劣化量を推定できる。
【００２７】
なお、図２に示す「相対輝度」とは、任意の初期輝度に対する現状の輝度の割合であり、値が小さくなるほど劣化が進行していること、すなわち劣化量が大きいことを示す指標である。また、上記した例では、通電影響による劣化量の推定について説明したが、温度影響による劣化についても同様の考え方で算出することができ、劣化推定部２１は、必要に応じて通電影響に加えて、温度影響による劣化量を推定してもよい。さらに、ＯＬＥＤの劣化量の推定は、上記した方法に限定されるものではなく、他の公知の方法が採用されてもよい。
【００２８】
回転指示部２２は、劣化推定部２１が算出した画素の劣化量が所定条件を満たした場合、すなわち回転開始の条件を満たした場合に、表示パネル１を所定の回転角度で回転させるための回転信号を回転駆動部３に出力する。このとき、回転指示部２２は、回転信号を映像回転部２３に出力し、表示パネル１の回転に伴う映像の角度変化を補正する映像回転部２３を作動させる。回転指示部２２が回転信号を出力した場合、その出力の履歴は、例えば回転信号が記憶部２４にも出力されることで、記憶部２４に記憶される。
【００２９】
なお、上記した画素の劣化量の所定条件としては、例えば、ユーザが画素間の輝度差を認識する特定の条件が設定される。限定するものではないが、所定条件は、例えば、「複数の画素のうちいずれか１つの相対輝度が０．９７５以下、または１．０２５以上となること」や「各画素間の相対輝度の差が２．５％以上となること」等の任意の条件とされる。
【００３０】
また、所定条件は、記憶部２４に格納されており、１つだけ設定されてもよいし、優先順位と共に複数設定されてもよい。前者の場合には、回転指示部２２は、例えば、所定条件を満たしたときに、回転駆動部３および映像回転部２３に最初の回転信号を出力した後、所定間隔で回転信号を出力する構成とされる。後者の場合には、回転指示部２２は、例えば、最初の所定条件を満たしたときに、回転駆動部３および映像回転部２３に最初の回転信号を出力した後、優先順位に従って異なる所定条件を満たした際に、順次、回転信号を出力する構成とされる。
【００３１】
映像回転部２３は、回転指示部２２からの回転信号が出力された場合に、所定の映像回転信号を映像出力部２５へ出力する。具体的には、表示パネル１が回転した場合には、表示される映像が表示パネル１と共に回転し、ユーザから見て、表示パネル１の回転角度だけ傾いた状態となるため、映像回転部２３は、この傾いた状態を是正する役割を果たす。つまり、映像回転部２３は、表示パネル１の回転に伴う映像の傾きを元の状態に戻すために、表示パネル１の回転方向とは反対方向に、表示パネル１の回転角度と同じ角度だけ映像を回転させるための映像回転信号を出力する。
【００３２】
記憶部２４は、回転制御部２で実行される各種プログラムや回転角度等が記憶されている記憶媒体であり、例えば、不図示のＲＯＭ、ＲＡＭや不揮発性ＲＡＭ等により構成され得る。記憶部２４は、例えば、劣化推定部２１から各画素の劣化量データが出力されることで、各画素の劣化量を記憶する。また、記憶部２４は、例えば、回転指示部２２から回転信号が出力されることで表示パネル１の傾斜角度を記憶し、映像回転部２３から映像回転信号が出力されることで映像の補正角度を記憶する。
【００３３】
なお、記憶部２４に格納される各種プログラムとは、例えば、劣化推定部２１における劣化量算出のための基準カーブ、回転指示部２２における回転開始判定のための所定条件等であり、必要に応じて不図示のＣＰＵにより読み込まれて実行される。また、記憶部２４は、例えば、外部の電子機器からの映像信号が出力されることで、各画素の駆動履歴を記憶してもよい。
【００３４】
映像出力部２５は、表示パネル１に映像を表示させるための信号を出力する。具体的には、映像出力部２５は、外部の電子機器等からの映像信号、または当該映像信号について映像回転部２３により映像の角度が補正された後の映像信号（以下「補正後の映像信号」という）に基づいて、表示パネル１に映像表示のための信号を出力する。
【００３５】
回転駆動部３は、回転指示部２２から回転信号が出力された場合に、表示パネル１を回転させる駆動部である。回転駆動部３は、予め設定された回転角度θで表示パネル１を回転させることができる構成であればよく、歯車やモータ等の任意の機械的な機構とされる。なお、回転角度θについては、例えば、回転駆動部３の一度の作動時間や電流値等の駆動条件を調整する等の任意の方法により、適宜調整され得る。
【００３６】
以上が、本実施形態の表示装置Ｓ１の基本的な構成である。つまり、表示装置Ｓ１は、図３に示すように、表示パネル１が、傾斜角度の上限が右１８０°および左１８０°とされると共に、回転角度θで右回りまたは左回りに回転する構成とされている。なお、図３では、見易くするため、回転角度θがおよそ１５°とされた例を示しているが、回転角度θは、これに限定されるものではなく、適宜変更される。
【００３７】
（処理動作例）
次に、表示装置Ｓ１の処理動作の一例について、図４を参照して説明する。
【００３８】
表示装置Ｓ１は、電源をＯＮにされた後、回転制御部２が図４に示す制御フローを所定の間隔で実行する。
【００３９】
ステップＳ１０１では、外部の電子機器等から回転制御部２へ映像信号が入力される。映像信号が入力されたとき、不図示のＣＰＵは、処理をステップＳ１０２に進める。
【００４０】
ステップＳ１０２では、例えば、回転指示部２２は、劣化推定部２１により推定された各画素の劣化量が所定の条件を満たすか否かについて判定する。例えば、所定の条件が「相対輝度が０．９以下である」と設定されている場合には、ステップＳ１０２での判定は、各画素の相対輝度が閾値（この場合、０．９）以下であるか否かであると言える。ステップＳ１０２にて否定判定の場合、表示パネル１および映像を回転させる必要がない状態であると言えるため、ＣＰＵは、処理をステップＳ１０４に進める。一方、ステップＳ１０２にて肯定判定の場合、ＣＰＵは、処理をステップＳ１０３に進める。
【００４１】
ステップＳ１０３では、回転指示部２２は、所定の回転信号を回転駆動部３および映像回転部２３へ出力する。これにより、回転信号が出力された回転駆動部３は、表示パネル１を所定の回転角度θで回転させる。また、回転信号が出力された映像回転部２３は、補正角度で映像を回転させるための映像回転信号を映像出力部２５に出力する。続いて、ＣＰＵは、処理をステップＳ１０４に進める。
【００４２】
ステップＳ１０４では、映像出力部２５は、外部の電子機器等から入力された映像信号、または映像回転部２３から出力された映像回転信号により補正された補正後の映像信号に基づき、映像を表示させるための信号を表示パネル１に出力する。
【００４３】
これにより、表示パネル１は、表示パネル１の回転有無を問わず、同一の角度とされた所定の映像を表示することとなる。ステップＳ１０４の後、ＣＰＵは、処理をステップＳ１０１に戻し、上記したステップＳ１０１以降を順次繰り返す。
【００４４】
なお、ステップＳ１０３とステップＳ１０４との間隔は、所定以下とされ、表示パネル１の回転処理と映像の回転処理とがほぼ同時に行われるようにすることが好ましい。
【００４５】
（効果）
次に、本実施形態の表示装置Ｓ１の効果について、図５Ａ〜図６Ｂを参照しつつ、従来の表示装置１００と対比して説明する。なお、ここでは、分かり易くして理解を助けるため、図５Ａ、図６Ａに示すように、所定の映像Ｇが表示され続ける場合を例に説明する。
【００４６】
まず、従来の表示装置１００は、例えば図５Ａに示すように、ＯＬＥＤによりなる複数の画素により構成され、正面視にて円形状のディスプレイ１０１を備える。従来の表示装置１００は、複数の画素（ＯＬＥＤ）の劣化が所定の段階まで進行した場合、不図示の制御部により、図５Ａに示すように、紙面における上方向等の所定の方向に映像Ｇ全体を所定距離だけ移動させるウォブリングを行う。このウォブリングは、上方向に限られず、図５Ａの紙面上の他の任意の方向にも行われる。
【００４７】
これにより、各画素の累積駆動時間のバラツキに起因する劣化量のバラツキが抑制され、図５Ｂに示すように、ウォブリングを行わない場合（破線）に比べ、ウォブリングを行った場合（実線）のほうが、焼きつきの輪郭が大きくなる。その結果、焼きつきの輪郭が相対的に大きくなり、その後の映像を表示する際にユーザが焼きつきを視認しにくくなるため、視認性が向上する。
【００４８】
しかしながら、映像全体を移動させるウォブリングを行う表示装置では、通常時に映像を表示するための画素１０１１の外側に、ウォブリング用の画素１０１２をさらに有する構成としなければ、映像に欠けた部分が生じてしまう。また、ウォブリング用の画素１０１２を有する構成とした場合、表示装置１００の外形が大きくなり、製造コストの観点から好ましくない。さらに、ウォブリング用の画素１０１２を有さず、かつウォブリングを行った場合に映像の欠けが生じる部分を隠した構成とすることも考えられるが、この場合、表示領域を囲む額縁領域が大きくなってしまい、意匠性が低下してしまう。
【００４９】
加えて、ウォブリングによる映像の移動距離は、大きすぎると、ユーザが違和感を覚えてしまうため、このような事態を防ぐために所定以下に制限される。ウォブリングによる映像の移動距離を制限すると、焼きつきの低減の効果も小さくなり、その後の映像を表示する際に、ユーザが焼きつきを視認できる事態が生じ得る。
【００５０】
これに対して、本実施形態の表示装置Ｓ１は、図６Ａに示すように、表示パネル１が所定の回転角度で回転すると共に、表示される映像が回転前の角度を維持するように当該回転角度に合わせて表示パネル１とは逆回転する構成とされている。例えば、表示装置Ｓ１は、所定の回転角度で回転した場合、図６Ａに示すように、回転前の映像の表示に用いられていた画素群（図６中の破線）とは異なる画素群（図６中の実線）により、回転前の映像の角度と同様の角度の映像を表示する。
【００５１】
これにより、ユーザは、表示パネル１の回転前後で同じ角度とされた映像を見ることになり、表示パネル１の回転による違和感を覚えることがない。また、表示パネル１は、図６Ｂに示すように、従来のウォブリングがなされる表示装置１００に比べて、同じ映像であっても、使用される画素群が映像の回転により大きく変わる。換言すると、表示装置Ｓ１は、表示パネル１の回転と共に、映像がその逆回転をすることで、擬似的なウォブリングの効果が得られつつも、各画素の累積駆動時間のバラツキの抑制効果、すなわち各画素の劣化量のバラツキの低減効果が従来よりも大きい。
【００５２】
例えば、図６Ｂ中にて破線で示すように、回転を全くしない場合では、表示パネル１は、映像を表示した所定の画素が他の画素よりも劣化が進行し、外郭が小さく目立つ焼きつきを生じてしまい、ユーザが焼きつきを視認しやすくなる。これに対し、表示パネル１および映像が相対的に回転する場合では、表示パネル１は、図６Ｂ中にて実線で示すように、劣化のバラツキが小さく、かつ外郭が大きい目立ちにくい焼きつきとなり、ユーザが焼きつきを視認しにくい。
【００５３】
また、表示パネル１は、映像全体がその表示領域において回転するのみであるため、上下左右等の他の方向にスライドすることがなく、従来のウォブリングを行う場合と異なり、通常の映像表示用の画素のほかに、他の画素を必要としない。さらに、表示パネル１が正面視にて点対称な形状、特に円形とされた場合には、回転による映像の欠けが生じることはない。したがって、表示装置Ｓ１は、外形が大きくすることなく、従来のウォブリングよりも焼きつきが抑制された構成となる。
【００５４】
本実施形態によれば、表示パネル１の外形を大きくすることなく、従来のウォブリングに比べて、焼きつきを低減することが可能な表示装置Ｓ１となる。
【００５５】
（第２実施形態）
第２実施形態の表示装置Ｓ２について、図７、図８を参照して述べる。
【００５６】
本実施形態の表示装置Ｓ２は、回転制御部２がさらに映像回転検出部２６を有し、処理動作が変更されている点で上記第１実施形態と相違する。本実施形態では、この相違点について主に説明する。
【００５７】
映像回転部２３は、本実施形態では、劣化推定部２１から出力された劣化量データまたは記憶部２４に格納された劣化量データが所定の回転開始条件を満たすか否かを判定する。映像回転部２３は、本実施形態では、例えば、劣化量データが所定の回転開始条件を満たすか否かを問わず、映像回転信号を映像出力部２５および映像回転検出部２６に出力する構成とされる。この映像回転信号は、劣化量データが所定の回転開始条件を満たさない場合には、補正角度が０°である信号とされ、劣化量データが所定の回転開始条件を満たす場合には、補正角度がθである信号とされる。
【００５８】
映像回転検出部２６は、映像回転部２３から出力された映像回転信号と外部の電子機器等からの映像信号とに基づき、映像の回転を検出すると共に、映像の回転を検出した場合に回転指示部２２へ所定の信号を出力する。例えば、映像回転検出部２６は、外部の電子機器等からの入力された映像信号に基づく映像と、映像回転部２３の映像回転信号により補正後の映像信号に基づく映像とが一致しない場合には、映像が回転したと判定し、これを検出する。
【００５９】
なお、劣化量データが所定の回転開始条件を満たす場合にのみ映像回転部２３に映像回転信号を出力させ、映像回転検出部２６は、埋め込まれた映像回転信号に基づいて映像の回転を検出する構成とされてもよい。
【００６０】
回転指示部２２は、映像回転検出部２６からの所定の信号が出力された場合に、表示パネル１の回転信号を回転駆動部３に出力する。
【００６１】
上記の構成とされた表示装置Ｓ２は、回転制御部２が、映像信号についての回転処理を実行した場合、映像の回転を検出し、表示パネル１を映像の回転方向とは逆方向に回転させる処理を行う。つまり、表示装置Ｓ２は、映像の回転の角度が予め設定され、記憶部２４に格納されており、表示パネル１が映像の回転の角度に合わせて、所定の回転角度θが調整される構成とされている。
【００６２】
次に、表示装置Ｓ２の処理動作の一例について、図８を参照して説明する。なお、図８に示す制御フローは、図４に示した制御フローのうちステップＳ１０２とステップＳ１０４との間における処理が変更されたものに相当する。そのため、ここでは、上記の変更点について主に説明する。
【００６３】
ステップＳ１０２では、本実施形態では、映像回転部２３が各画素の劣化量が所定の回転開始条件を満たすか否かを判定し、肯定判定の場合には、不図示のＣＰＵは、処理をステップＳ２０１に進め、そうでない場合には処理をステップＳ１０４に進める。
【００６４】
ステップＳ２０１では、映像回転部２３が予め設定された補正角度で映像を回転させるための映像回転信号を映像出力部２５および映像回転検出部２６に出力する。その後、ＣＰＵは、処理をステップＳ２０２に進める。
【００６５】
ステップＳ２０２では、映像回転検出部２６は、映像回転信号に基づき、映像の回転を検出すると共に、補正角度に対応する検出信号を回転指示部２２へ出力する。その後、ＣＰＵは、処理をステップＳ２０３に進める。
【００６６】
ステップＳ２０３では、回転指示部２２は、補正角度に対応する回転角度で表示パネル１を回転させるため、補正角度に対応する回転信号を回転駆動部３に出力する。回転駆動部３は、回転指示部２２から回転信号が出力された後、補正角度に対応する所定の回転角度θで表示パネル１を回転させる。
【００６７】
そして、ステップＳ１０４にて、映像出力部２５は、外部の電子機器等からの映像信号または映像回転部２３からの映像回転信号による補正後の映像信号に基づいて、映像を表示させるための信号を表示パネル１へ出力する。ステップＳ１０４の後、ＣＰＵは、処理をステップＳ１０１に戻し、その後、順次ステップＳ１０１以降の処理を繰り返す。
【００６８】
本実施形態によれば、表示パネル１の各画素が所定の劣化量に達した場合に、まず映像を回転させる処理を行った後、表示パネル１を回転させる処理を行うという順に処理が実行されるものの、上記第１実施形態と同様の効果が得られる。
【００６９】
（第３実施形態）
第３実施形態の表示装置Ｓ３について、図９、図１０を参照して述べる。
【００７０】
本実施形態の表示装置Ｓ３は、さらにパネル回転検出部２７を備え、パネル回転検出部２７が表示パネル１の回転を検出した場合に回転制御部２が映像の回転処理を行う構成とされている点で上記第１実施形態と相違する。本実施形態では、この相違点について主に説明する。
【００７１】
表示装置Ｓ３は、図９に示すように、所定の回転開始条件を満たした場合、回転指示部２２が回転信号を回転駆動部３に出力し、回転駆動部３が表示パネル１を回転させ、パネル回転検出部２７が表示パネル１の回転を検出する構成とされる。また、表示装置Ｓ３は、パネル回転検出部２７が表示パネル１の回転を検出した際に、映像回転部２３に回転角度θに対応する所定の信号を出力し、その後、映像回転部２３が表示パネル１の回転角度θに対応する補正角度で映像を回転させる処理を行う。つまり、本実施形態の表示装置Ｓ３は、所定の回転開始条件を満たしたときには、表示パネル１を回転させ、その回転を検出した後、映像を回転させる処理を行う構成とされている。
【００７２】
パネル回転検出部２７は、例えば図１０に示すように、歯車状部材を有する構成とされ、表示パネル１の回転と共に、当該歯車状部材も回転する構成とされる。例えば、この歯車状部材には、表示パネル１が傾斜角度０°である場合に対応する所定の基準位置が設定されている。そして、パネル回転検出部２７は、例えば、歯車状部材の現在位置の変化に基づいて表示パネル１の回転を検出すると共に、基準位置と現在位置との差に基づいて表示パネル１の傾斜角度を導出する構成とされる。図１０に示すように、５°ピッチで歯が設けられている歯車状部材の例では、基準位置から図１０の紙面右側に向かって９番目の歯が現在位置である場合、傾斜角度が４５°である、といった具合に傾斜角度を導出する。
【００７３】
なお、パネル回転検出部２７は、上記した例に限られず、表示パネル１の回転を検出できるものであればよく、ジャイロセンサや加速度センサなどの他の任意のセンサとされてもよい。
【００７４】
次に、表示装置Ｓ２の処理動作の一例について、図１１を参照して説明する。なお、図１１に示す制御フローは、図４に示した制御フローのうちステップＳ１０２とステップＳ１０４との間における処理が変更されたものに相当する。そのため、ここでは、上記の変更点について主に説明する。
【００７５】
ステップＳ１０２では、本実施形態では、回転指示部２２が各画素の劣化量が所定の回転開始条件を満たすか否かを判定し、肯定判定の場合には、不図示のＣＰＵは、処理をステップＳ３０１に進め、そうでない場合には処理をステップＳ１０４に進める。
【００７６】
ステップＳ３０１では、回転指示部２２が回転信号を回転駆動部３に出力し、回転信号が出力された回転駆動部３は、所定の回転角度θで表示パネル１を回転させる。その後、ＣＰＵは、処理をステップＳ３０２に進める。
【００７７】
ステップＳ３０２では、パネル回転検出部２７は、表示パネル１の回転を検出し、所定の回転検出信号を映像回転部２３へ出力する。その後、ＣＰＵは、処理をステップＳ３０３に進める。
【００７８】
ステップＳ３０３では、映像回転部２３は、所定の補正角度で映像を回転させるための映像回転信号を映像出力部２５へ出力する。その後、ＣＰＵは、処理をステップＳ１０４に進める。
【００７９】
そして、ステップＳ１０４にて、映像出力部２５は、外部の電子機器等からの映像信号または映像回転部２３からの映像回転信号による補正後の映像信号に基づいて、映像を表示させるための信号を表示パネル１へ出力する。ステップＳ１０４の後、ＣＰＵは、処理をステップＳ１０１に戻し、その後、順次ステップＳ１０１以降の処理を繰り返す。
【００８０】
本実施形態によれば、表示パネル１の各画素が所定の劣化量に達した場合に、まず表示パネル１を回転させる処理を行った後、映像を回転させる処理を行うという順に処理が実行されるものの、上記第１実施形態と同様の効果が得られる。
【００８１】
（第４実施形態）
第４実施形態の表示装置Ｓ４について、図１２を参照して述べる。
【００８２】
表示装置Ｓ４は、劣化推定部２１に代えて、所定の回転開始条件に基づいて表示パネル１の回転を決定する回転決定部２８を備える点において、上記第１実施形態と相違する。本実施形態では、この相違点について主に説明する。
【００８３】
回転決定部２８は、例えば記憶部２４に格納された所定の回転開始条件を満たす場合に、表示パネル１の回転を決定し、回転指示部２２に信号を出力する。回転決定部２８が回転を決定する所定の回転開始条件としては、例えば、「特定の描画フレームを経過した」、「特定の時間が経過した」、「外部機器から所定の信号が入力された」などが挙げられる。この所定の回転開始条件は、上記第１ないし第３実施形態における、各画素の推定劣化量に基づく回転開始条件を第１回転開始条件として、各画素の推定劣化量によらない第２回転開始条件とされる。
【００８４】
例えば、「特定の描画フレームを経過した」については、画素のうちいずれか１つについて累積駆動時間が所定の閾値以上である、といった条件とされ得る。「特定の時間が経過した」については、例えば、表示パネル１を起動して所定の時間が経過した、といった条件とされ得る。「外部機器から所定の信号が入力された」については、例えば、表示装置Ｓ４に接続された外部機器から表示パネル１を起動させる信号、またはシャットダウンさせる信号が入力された、といった条件とされ得る。なお、時間情報については、表示装置Ｓ４とは異なる外部機器のタイマー等からクロック信号等の任意の信号を回転制御部２に入力させ、当該クロック信号等を記憶部２４に累積させる等の任意の方法により取得され得るが、これに限定されない。
【００８５】
つまり、回転決定部２８は、各画素の推定劣化量に基づく第１回転開始条件ではなく、各画素の推定劣化量によらない第２回転開始条件を満たす場合には、表示パネル１を回転させるための信号を出力し、そうでない場合には、当該信号を出力しない構成とされる。
【００８６】
回転指示部２２は、本実施形態では、回転決定部２８から信号が出力された場合には、上記第１実施形態と同様に、映像回転部２３および回転駆動部３に回転信号を出力する。
【００８７】
表示装置Ｓ４は、上記第１実施形態と同様に、例えば図４に示す制御フローを実行するが、本実施形態では、ステップＳ１０２では、回転決定部２８が、第２回転開始条件を満たすか否かの判定を行う。ステップＳ１０２にて肯定判定の場合、回転決定部２８が所定の信号を回転指示部２２に出力し、ＣＰＵは、処理をステップＳ１０３に進める。一方、ステップＳ１０２にて否定判定の場合、回転決定部２８が信号を出力することはなく、ＣＰＵは、処理をステップＳ１０４に進める。上記した点以外については、表示装置Ｓ４は、上記第１実施形態と同様の制御を実行する。
【００８８】
つまり、表示装置Ｓ４は、第２回転開始条件を満たす場合には、表示パネル１および映像の回転処理を実行し、そうでない場合には、表示パネル１および映像の回転処理を実行しない。なお、第２回転開始条件を満たした後には、表示装置Ｓ４は、例えば上記第１実施形態と同様に、所定の間隔で表示パネル１および映像の回転処理を実行する。
【００８９】
本実施形態によれば、推定劣化量によらない第２回転開始条件を満たす場合に、表示パネル１および映像の回転がなされる表示装置Ｓ４となる。これにより、通電に伴う各画素（ＯＬＥＤ）の劣化量が表示パネル１の回転に伴う映像回転によって分散され、特定の画素について他の画素よりも劣化量が多くなることが抑制される。そのため、上記第１実施形態と同様に、表示パネル１の外形を大きくせずとも、従来のウォブリングに比べて、焼きつきが抑制される表示装置Ｓ４となる。
【００９０】
（第５実施形態）
第５実施形態の表示装置Ｓ５は、上記第２実施形態の変形例に相当するものであり、例えば図１３に示すように、劣化推定部２１に代わって、回転決定部２８を備える構成とされている。回転決定部２８は、本実施形態では、第２回転開始条件を満たす場合には、映像回転部２３に回転信号を出力し、そうでない場合には回転信号を出力しない構成とされる。
【００９１】
表示装置Ｓ５は、上記第２実施形態と同様に、例えば図８に示す制御フローを実行するが、本実施形態では、ステップＳ１０２では、回転決定部２８が、第２回転開始条件を満たすか否かの判定を行う。ステップＳ１０２にて肯定判定の場合、回転決定部２８が回転信号を映像回転部２３に出力し、ＣＰＵは、処理をステップＳ２０１に進める。一方、ステップＳ１０２にて否定判定の場合、回転決定部２８が信号を出力することはなく、ＣＰＵは、処理をステップＳ１０４に進める。上記した点以外については、表示装置Ｓ５は、上記第２実施形態と同様の制御を実行する。
【００９２】
本実施形態によれば、推定劣化量によらない第２回転開始条件を満たす場合に、映像回転処理を実行し、当該映像回転に伴って表示パネル１の回転処理を実行する表示装置Ｓ５となる。そのため、各画素の劣化量を推定しなくても、上記第２実施形態と同様の効果が得られる。
【００９３】
（第６実施形態）
第６実施形態の表示装置Ｓ６は、上記第３実施形態の変形例に相当するものであり、例えば図１４に示すように、劣化推定部２１に代わって、回転決定部２８を備える構成とされている。回転決定部２８は、本実施形態では、第２回転開始条件を満たす場合には、回転指示部２２に回転信号を出力し、そうでない場合には回転信号を出力しない構成とされる。
【００９４】
表示装置Ｓ６は、上記第３実施形態と同様に、例えば図１１に示す制御フローを実行するが、本実施形態では、ステップＳ１０２では、回転決定部２８が、第２回転開始条件を満たすか否かの判定を行う。ステップＳ１０２にて肯定判定の場合、回転決定部２８が所定の信号を回転指示部２２に出力し、ＣＰＵは、処理をステップＳ３０１に進める。一方、ステップＳ１０２にて否定判定の場合、回転決定部２８が信号を出力することはなく、ＣＰＵは、処理をステップＳ１０４に進める。上記した点以外については、表示装置Ｓ６は、上記第３実施形態と同様の制御を実行する。
【００９５】
本実施形態によれば、推定劣化量によらない第２回転開始条件を満たす場合に、表示パネル１の回転処理を実行し、当該回転に伴って映像の回転処理を実行する表示装置Ｓ６となる。そのため、各画素の劣化量を推定しなくても、上記第３実施形態と同様の効果が得られる。
【００９６】
（他の実施形態）
なお、上記した各実施形態に示した表示装置は、本発明の表示装置の一例を示したものであり、上記の各実施形態に限定されるものではなく、特許請求の範囲に記載した範囲内において適宜変更が可能である。
【００９７】
例えば、上記各実施形態では、表示パネル１の回転中心が対称中心と一致する例について説明したが、表示パネル１の回転中心が対称中心と異なる位置であってもよい。この場合であっても、映像全体がその表示領域内で回転するため、従来のウォブリングを行う表示装置のように、別途の画素を必要とせず、かつ映像表示に要する画素群を大きく変化させることができ、上記各実施形態と同様の効果が得られる。
【符号の説明】
【００９８】
１    表示パネル
２１  劣化推定部
２２  回転指示部
２３  映像回転部
２６  映像回転検出部
２７  パネル回転検出部
３    回転駆動部
【図１】
2020154169.tif 000003
【図２】
2020154169.tif 000004
【図３】
2020154169.tif 000005
【図４】
2020154169.tif 000006
【図５Ａ】
2020154169.tif 000007
【図５Ｂ】
2020154169.tif 000008
【図６Ａ】
2020154169.tif 000009
【図６Ｂ】
2020154169.tif 000010
【図７】
2020154169.tif 000011
【図８】
2020154169.tif 000012
【図９】
2020154169.tif 000013
【図１０】
2020154169.tif 000014
【図１１】
2020154169.tif 000015
【図１２】
2020154169.tif 000016
【図１３】
2020154169.tif 000017
【図１４】
2020154169.tif 000018